(57)【要約】【課題】貯留されている水に気泡が発生することを抑制することができるシスターンを提供する。【解決手段】本発明の一態様に係るシスターンは、上壁と、底壁とを有する筐体と、第１端を有する第１水位電極と、第１端よりも上壁側にある第２端を有する第２水位電極とを備える。第１方向における筐体の高さは、第２方向における筐体の幅及び第３方向における筐体の幅よりも小さい。底壁には、戻り接続口と、往き接続口とが設けられる。往き接続口が設けられる底壁の部分は、戻り接続口が設けられる底壁の部分よりも下方に位置する。筐体の内部には、流路上壁を有する流路が設けられる。流路は、開口を有する。流路上壁は、戻り接続口と対向する第１部分と、第１部分から往き接続口側に向かって延在する第２部分とを含む。開口は、第１端よりも下方にある。【選択図】図８
2019174049.tif 000002
【特許請求の範囲】
【請求項１】
上壁と、前記上壁の下方にある底壁とを有し、かつ前記上壁を厚さ方向に貫通する第１貫通孔及び第２貫通孔が設けられた筐体と、
第１端を有し、かつ前記第１端が前記筐体の内部に位置するように前記第１貫通孔に挿通される第１水位電極と、
第２端を有し、かつ前記第２端が前記筐体の内部において前記第１端よりも前記上壁側に位置するように前記第２貫通孔に挿通される第２水位電極とを備え、
上下方向に沿う第１方向における前記筐体の高さは、前記第１方向に直交する平面にある第２方向における前記筐体の幅及び前記平面にあり、かつ前記第２方向に直交する第３方向における前記筐体の幅よりも小さく、
前記筐体に貯留されている水の水位は、上下方向において前記第１端と前記第２端との間にあるように構成され、
前記底壁には、前記筐体の内部と連通し、かつ前記筐体の内部に水を流入させる戻り接続口と、前記筐体の内部に連通し、かつ前記筐体の内部から水を送出させる往き接続口とが設けられ、
前記往き接続口が設けられる前記底壁の部分は、前記戻り接続口が設けられる前記底壁の部分よりも下方に位置し、
前記筐体の内部には、流路上壁と、前記流路上壁と対向する流路底壁と、第１流路側壁と、前記第１流路側壁に対向する第２流路側壁とを有する流路が設けられ、
前記流路は、一方端において前記戻り接続口に接続されるとともに、前記戻り接続口から前記往き接続口に向かって延在し、かつ他方端において開口を有し、
前記流路上壁は、前記戻り接続口と対向する第１部分と、前記第１部分に連なり、かつ前記第１部分から前記往き接続口側に向かって延在する第２部分とを含み、
前記開口は、前記第１端よりも下方にある、シスターン。
【請求項２】
前記流路上壁は、前記他方端に位置する第３部分をさらに含み、
前記第３部分の前記平面に対する傾斜角は、前記第２部分の前記平面に対する傾斜角よりも大きい、請求項１に記載のシスターン。
【請求項３】
前記筐体は、前記上壁及び前記底壁に連なる側壁を有し、
前記第１流路側壁は、前記側壁の一部で構成される、請求項１又は請求項２に記載のシスターン。
【請求項４】
前記第１部分は、前記第１流路側壁と接して配置され、
前記第２部分の少なくとも一部は、前記第１流路側壁から離間して配置される、請求項３に記載のシスターン。
【請求項５】
前記第２流路側壁は、前記上壁側に向かって突出する前記底壁の一部で構成され、
前記第１部分は、前記第２流路側壁と接して配置され、
前記第２部分の少なくとも一部は、前記第２流路側壁から離間して配置される、請求項１〜請求項４のいずれか１項に記載のシスターン。
【請求項６】
前記流路上壁は、前記筐体とは別体の部材で構成される、請求項１〜請求項５のいずれか１項に記載のシスターン。
【請求項７】
請求項１〜請求項６のいずれか１項に記載の前記シスターンを備える、温水暖房装置。
【発明の詳細な説明】
【技術分野】
【０００１】
本発明は、シスターン及び温水暖房装置に関する。
【背景技術】
【０００２】
従来から、特開２００６−３２９５２６号公報（特許文献１）に記載のシスターンが知られている。
【０００３】
特許文献１に記載のシスターンにおいては、底部に往き通路及び戻り通路が設けられている。戻り通路からは、暖房放熱器を循環した水が、シスターンの内部に戻る。往き通路からは、シスターンに貯留されている水が、暖房放熱器に向かって送出される。シスターンの内部には、遮蔽板が設けられている。遮蔽板は、戻り通路と対向するように配置されている。戻り通路を介してシスターンの内部に戻った水は、遮蔽板と衝突して流速が低減される。特許文献１に記載のシスターンにおいては、上記の構成により、シスターンに貯留されている水の水面の波立ちや、当該水面からの水の噴出が抑制されている。
【先行技術文献】
【特許文献】
【０００４】
【特許文献１】特開２００６−３２９５２６号公報
【発明の概要】
【発明が解決しようとする課題】
【０００５】
特許文献１に記載のシスターンにおいて、シスターンの高さは、シスターンの幅よりも大きくなっている。しかしながら、シスターンの高さがシスターンの幅よりも小さい場合には、戻り通路とシスターンに貯留されている水の水面との距離が小さいため、戻り通路を介してシスターンの内部に戻る水によって、当該水面の波立ちや、当該水面からの水の噴出が生じやすい。
【０００６】
特許文献１に記載のシスターンにおいては、シスターンの高さがシスターンの幅よりも小さい場合に、如何にして当該水面の波立ちや当該水面からの水の噴出を抑制するかについて、特段の言及がなされていない。そのため、特許文献１に記載のシスターンにおいては、シスターンの高さがシスターンの幅よりも小さくなった場合に、当該水面の波立ちや当該水面からの水の噴出が生じるおそれがある。
【０００７】
当該水面の波立ちや当該水面からの水の噴出により、シスターンに貯留されている水に気泡が発生するおそれがある。このような気泡の発生は、シスターンに貯留されている水を循環ポンプで循環させる際に、循環不良の原因となる。
【０００８】
本発明は、上記のような従来技術の問題点に鑑みてなされたものである。より具体的には、本発明は、薄型のシスターンであっても、シスターンに貯留されている水に気泡が発生することを抑制することができるシスターンを提供するものである。
【課題を解決するための手段】
【０００９】
本発明の一態様に係るシスターンは、上壁と、上壁の下方にある底壁とを有し、かつ上壁を厚さ方向に貫通する第１貫通孔及び第２貫通孔が設けられた筐体と、第１端を有し、かつ第１端が筐体の内部に位置するように第１貫通孔に挿通される第１水位電極と、第２端を有し、かつ第２端が筐体の内部において第１端よりも上壁側に位置するように第２貫通孔に挿通される第２水位電極とを備える。
【００１０】
上下方向に沿う第１方向における筐体の高さは、第１方向に直交する平面にある第２方向における筐体の幅及び第１方向に直交する平面にあり、かつ第２方向に直交する第３方向における筐体の幅よりも小さい。筐体に貯留されている水の水位は、上下方向において第１端と第２端との間にあるように構成される。底壁には、筐体の内部と連通し、かつ筐体の内部に水を流入させる戻り接続口と、筐体の内部に連通し、かつ筐体の内部から水を送出させる往き接続口とが設けられる。往き接続口が設けられる底壁の部分は、戻り接続口が設けられる底壁の部分よりも下方に位置する。筐体の内部には、流路上壁と、流路上壁と対向する流路底壁と、第１流路側壁と、第１流路側壁に対向する第２流路側壁とを有する流路が設けられる。流路は、一方端において戻り接続口に接続され、戻り接続口から往き接続口に向かって延在し、かつ他方端において開口を有する。流路上壁は、戻り接続口と対向する第１部分と、第１部分に連なり、かつ第１部分から往き接続口側に向かって延在する第２部分とを含む。開口は、第１端よりも下方にある。
【００１１】
本発明の一態様に係るシスターンにおいて、戻り接続口から筐体の内部に戻る水は、流路上壁の第１部分と衝突し、流速が低減される。流路上壁の第１部分と衝突した水は、流路上壁の第２部分と衝突しながら往き接続口へと向かう。そのため、戻り接続口から筐体の内部に戻る水の流速は、さらに低減される。
【００１２】
本発明の一態様に係るシスターンにおいては、流路の開口が第１端よりも下方にあるため、筐体に貯留されている水の水面から流路の開口が露出していない。このように、本発明の一態様に係るシスターンにおいては、戻り接続口から筐体の内部に戻る水の流速が少なくとも２段階で低減され、かつ筐体に貯留されている水の水面から流路の開口が露出していないため、戻り接続口から筐体の内部に戻る水が、筐体に貯留されている水に気泡を生じさせにくい。
【００１３】
上記のシスターンにおいて、流路上壁は、流路の他方端に位置する第３部分をさらに含んでいてもよい。第３部分の第１方向に直交する平面に対する傾斜角は、第２部分の第１方向に直交する平面に対する傾斜角よりも大きくてもよい。
【００１４】
この場合には、第３部分が設けられていない場合と比較して、開口がより小さくなる。そのため、シスターンが鉛直方向に対して傾斜したとしても（筐体に貯留されている水の水面が傾斜したとしても）、当該水面から流路の開口が露出しにくくなる。
【００１５】
上記のシスターンにおいて、筐体は、上壁及び底壁に連なる側壁を有していてもよい。第１流路側壁は、側壁の一部で構成されていてもよい。
【００１６】
上記のシスターンにおいて、流路上壁の第１部分は、第１流路側壁と接して配置されていてもよい。流路上壁の第２部分は、第２部分の少なくとも一部は、第１流路側壁から離間して配置されていてもよい。上記のシスターンにおいて、第２流路側壁は、上壁側に向かって突出する底壁の一部で構成されていてもよい。第１部分は、第２流路側壁と接して配置されていてもよい。第２部分の少なくとも一部は、第２流路側壁から離間して配置されていてもよい。
【００１７】
流路が完全に気密となっていると、流路内に空気が残存することがある。当該空気は、周辺の温度上昇により膨張し、流路を破損させるおそれがある。また、当該空気の圧力により、流路への通水が困難となるおそれがある。そのため、流路の一部には、空気が通る隙間が設けられることが好ましい。流路上壁の第１部分は、戻り接続口から筐体の内部に戻る水が一次的に衝突する部分であるため、隙間を設けることは好ましくない。他方で、流路上壁の第２部分の近傍を通過する際には、戻り接続口から筐体の内部に戻る水の流速が低減されているため、隙間を設けることによる悪影響は小さい。そのため、空気が通る隙間を流路上壁の第２部分と第１流路側壁（第２流路側壁）との間に設けることにより、このような隙間を設けることによる悪影響を抑制しつつ、流路内に空気が残存することを抑制できる。
【００１８】
上記のシスターンにおいて、流路上壁は、記筐体とは別体の部材で構成されていてもよい。
【００１９】
本発明の一態様に係る温水暖房装置は、上記のシスターンを備える。
【発明の効果】
【００２０】
本発明の一態様に係るシスターン及び温水暖房装置によると、シスターンに貯留されている水に気泡が発生することを抑制することができる。
【図面の簡単な説明】
【００２１】
【図１】実施形態に係る温水暖房装置の構成を示す模式図である。
【図２】筐体１０の斜視図である。
【図３】シスターン１の斜視図である。
【図４】シスターン１の上面図である。
【図５】シスターン１の正面図である。
【図６】シスターン１の底面図である。
【図７】図４のＶＩＩ−ＶＩＩにおける断面図である。
【図８】図４のＶＩＩＩ−ＶＩＩＩにおける断面図である。
【図９】図４のＩＸ−ＩＸにおける断面図である。
【図１０】図４のＸ−Ｘにおける断面図である。
【図１１】シスターン１の変形例における断面図である。
【発明を実施するための形態】
【００２２】
本発明の実施形態を、図面を参照しながら説明する。なお、以下の図面においては、同一又は相当する部分に同一の符号を付し、重複する説明は繰り返さない。
【００２３】
（実施形態に係る温水暖房装置及びシスターン１の構成）
以下に、実施形態に係る温水暖房装置及びシスターン１の構成を説明する。
【００２４】
図１に示されるように、実施形態に係る温水暖房装置は、シスターン１と、燃焼ユニット２とを有している。実施形態に係る温水暖房装置は、さらに配管３ａ、配管３ｂ、配管３ｃ、配管３ｄ、配管３ｅ、配管３ｆ、配管３ｇ及び配管３ｈと、ポンプ４とを有している。シスターン１、燃焼ユニット２、配管３ａ〜配管３ｈ及びポンプ４は、筐体１０に収納されている。燃焼ユニット２は、一次熱交換器２１と、二次熱交換器２２と、バーナ２３とを有している。ポンプ４は、シスターン１に貯留されている水を、配管３ｂ〜配管３ｇに沿って、図１中の矢印の方向に循環させる。
【００２５】
配管３ａの一方端には、シスターン１が接続されている。配管３ａの他方端には、上水道が接続されている。配管３ｂの一方端には、シスターン１が接続されている。配管３ｂの他方端には、配管３ｃの一方端及び配管３ｄの一方端が接続されている。配管３ｂの経路上には、ポンプ４が配置されている。
【００２６】
配管３ｃの他方端は、一次熱交換器２１が接続されている。配管３ｄの他方端は、低温暖房端末５１に接続されている。配管３ｅの一方端は、一次熱交換器２１に接続されている。配管３ｅの他方端は、高温暖房端末５２に接続されている。
【００２７】
配管３ｆの一方端は、分岐している。一方端において分岐している配管３ｆの一方は、低温暖房端末５１に接続されている。一方端において分岐している配管３ｆの他方は、高温暖房端末５２に接続されている。配管３ｆの他方端は、二次熱交換器２２に接続されている。配管３ｇの一方端は、二次熱交換器２２に接続されている。配管３ｇの他方端は、シスターン１に接続されている。
【００２８】
シスターン１には、配管３ａを介して水が供給される。シスターン１に貯留されている水は、配管３ｂ及び配管３ｃを介して一次熱交換器２１に供給される。一次熱交換器２１に供給された水は、バーナ２３からの燃焼ガスとの間で熱交換を行うことにより昇温される。一次熱交換器２１を通過した水は、配管３ｅを介して、高温暖房端末５２に供給される。高温暖房端末５２に供給された水は、暖房動作を行うことにより、温度が低下する。
【００２９】
高温暖房端末５２を通過した水は、配管３ｆを介して二次熱交換器２２に供給される。二次熱交換器２２に供給された水は、一次熱交換器２１と熱交換を行った後のバーナ２３からの燃焼ガスとの間で熱交換を行うことにより昇温される。二次熱交換器２２を通過した水は、配管３ｇを介してシスターン１に戻る。
【００３０】
シスターン１に戻った水は、配管３ｂ及び配管３ｄを介して、低温暖房端末５１に供給される。低温暖房端末５１に供給された水は、暖房動作を行うことにより、温度が低下する。低温暖房端末５１を通過した水は、配管３ｆを介して、二次熱交換器２２に供給される。二次熱交換器２２を通過した水は、配管３ｇを介して、再びシスターン１に戻る。
【００３１】
シスターン１に貯留されている水の量が過剰となった場合、シスターン１に貯留されている水は、配管３ｈを介して外部に排出される。
【００３２】
図２に示されるように、筐体１０は、天板１０ａと、底板１０ｂと、側板１０ｃと、側板１０ｄと、側板１０ｅと、側板１０ｆとを有している。天板１０ａと底板１０ｂとは、互いに対向している。側板１０ｃと側板１０ｅとは、互いに対向している。側板１０ｄと側板１０ｆとは、互いに対向している。
【００３３】
少なくとも側板１０ｃは、筐体１０から取り外し可能に構成されている。側板１０ｃを筐体１０から取り外すことにより、筐体１０が開口する。この開口を介して、筐体１０から温水暖房装置の構成部品を取り出し、又は筐体１０の内部に当該構成部品を収納することができる。なお、例えば側板１０ｃには、排気口１０ｃａが設けられている。排気口１０ｃａは、側板１０ｃを厚さ方向に貫通している。
【００３４】
天板１０ａから底板１０ｂに向かう方向を、第１方向ＤＲ１という。なお、第１方向ＤＲ１は、上下方向に沿っている。側板１０ｅから側板１０ｃに向かう方向を、第２方向ＤＲ２という。側板１０ｄから側板１０ｆに向かう方向を、第３方向ＤＲ３という。第２方向ＤＲ２及び第３方向ＤＲ３は、第１方向ＤＲ１に直交する平面にある。第２方向ＤＲ２及び第３方向ＤＲ３は、互いに直交している。
【００３５】
筐体１０は、幅Ｗ１と、幅Ｗ２とを有している。幅Ｗ１は、側板１０ｃと側板１０ｅとの間の距離である（筐体１０の第２方向ＤＲ２における幅である）。幅Ｗ２は、側板１０ｄと側板１０ｆとの間の距離である（筐体１０の第３方向ＤＲ３における幅である）。好ましくは、幅Ｗ１は、幅Ｗ２よりも大きい。
【００３６】
図３に示されるように、シスターン１は、筐体１１と、第１水位電極１２と、第２水位電極１３とを有している。
【００３７】
図４〜図６に示されるように、筐体１１は、上壁１１ａと、底壁１１ｂと、側壁１１ｃとを有している。底壁１１ｂは、上壁１１ａの下方にある。側壁１１ｃは、上壁１１ａ及び底壁１１ｂに連なっている。
【００３８】
筐体１１は、幅Ｗ３と、幅Ｗ４と、高さＨとを有している。幅Ｗ３は、第２方向ＤＲ２における筐体１１の幅である。幅Ｗ４は、第３方向ＤＲ３における筐体１１の幅である。高さＨは、第１方向ＤＲ１における筐体１１の高さである。高さＨは、第１方向ＤＲ１における上壁１１ａと底壁１１ｂとの距離の最大値である。高さＨは、幅Ｗ３及び幅Ｗ４よりも小さい（幅Ｗ３及び幅Ｗ４は、高さＨよりも大きい）。すなわち、筐体１１は、相対的に薄型の形状を有している。
【００３９】
図７に示されるように、上壁１１ａには、第１貫通孔１１ａａと、第２貫通孔１１ａｂとが設けられている。第１貫通孔１１ａａは、上壁１１ａを厚さ方向に貫通している。第２貫通孔１１ａｂは、上壁１１ａを厚さ方向に貫通している。
【００４０】
第１貫通孔１１ａａには、第１水位電極１２が挿通されている。第２貫通孔１１ａｂには、第２水位電極１３が挿通されている。第１水位電極１２は、第１端１２ａと、第３端１２ｂとを有している。第３端１２ｂは、第１端１２ａの反対側の端である。第２水位電極１３は、第２端１３ａと、第４端１３ｂとを有している。第４端１３ｂは、第２端１３ａの反対側の端である。第１水位電極１２及び第２水位電極１３は、第１方向ＤＲ１に沿って延在している。
【００４１】
第１端１２ａ及び第２端１３ａは、筐体１１の内部に配置されている。なお、「第１端１２ａ及び第２端１３ａが筐体１１の内部に配置されている」とは、第１端１２ａ及び第２端１３ａが上壁１１ａと底壁１１ｂとの間に位置していることをいう。第３端１２ｂ及び第４端１３ｂは、筐体１１の外部に配置されている。第１水位電極１２は、第２水位電極１３よりも長い。このことを別の観点からいえば、第１端１２ａは、第１方向ＤＲ１において第２端１３ａよりも下方にある。すなわち、第１端１２ａは、第２端１３ａよりも底壁１１ｂに近い位置にある（第２端１３ａは、第１端１２ａよりも上壁１１ａに近い位置にある）。
【００４２】
第１水位電極１２は、第１端１２ａが筐体１１に貯留されている水の水面との接触を開始した際に、筐体１１に貯留されている水が所定の水位（以下においては、「第１水位」という）に達していることを検知する。第２水位電極１３は、第２端１３ａが筐体１１に貯留されている水の水面との接触を開始した際に、筐体１１に貯留されている水が第１水位よりも高い所定の水位（以下においては、「第２水位」という）に達していることを検知する。
【００４３】
なお、実施形態に係る温水暖房装置は、筐体１１に貯留されている水の水位が第１水位よりも低い場合には、筐体１１への水の供給を開始するように制御される。他方で、実施形態に係る温水暖房装置は、筐体１１に貯留されている水の水位が第２水位に達した場合には、筐体１１への水の供給を停止するように制御される。つまり、筐体１１に貯留されている水の水位は、上下方向において、第１端１２ａと第２端１３ａとの間にある。
【００４４】
図４に示されるように、筐体１１は、第１部分１１ｄと、第２部分１１ｅと、第３部分１１ｆとを有している。第２部分１１ｅ及び第３部分１１ｆは、第１部分１１ｄから第２方向ＤＲ２に沿って突出している。第２部分１１ｅ及び第３部分１１ｆは、第３方向ＤＲ３において、互いに離間している。
【００４５】
図４〜図６に示されるように、筐体１１には、補水口１１ｇと、排出口１１ｈと、戻り接続口１１ｉと、往き接続口１１ｊとが設けられている。補水口１１ｇ、排出口１１ｈ、戻り接続口１１ｉ及び往き接続口１１ｊは、筐体１１の内部と連通している。
【００４６】
補水口１１ｇは、配管３ａに接続されている。すなわち、補水口１１ｇから、筐体１１内に水が供給される。排出口１１ｈは、配管３ｈに接続されている。すなわち、排出口１１ｈから、筐体１１に貯留されている水が排出される。
【００４７】
戻り接続口１１ｉは、配管３ｇに接続されている。すなわち、戻り接続口１１ｉから、暖房回路を循環した水が筐体１１内に戻る。往き接続口１１ｊは、配管３ｂに接続されている。すなわち、往き接続口１１ｊから、暖房回路を循環するように筐体１１内から水が送出される。
【００４８】
補水口１１ｇは、例えば、第２方向ＤＲ２における筐体１１の端部に配置されている。好ましくは、補水口１１ｇは、第２部分１１ｅに位置する側壁１１ｃに設けられている。排出口１１ｈは、例えば、第２方向ＤＲ２における筐体１１の端部に配置されている。好ましくは、排出口１１ｈは、第３部分１１ｆに位置する底壁１１ｂに設けられている。
【００４９】
戻り接続口１１ｉ及び往き接続口１１ｊは、例えば、補水口１１ｇ及び排出口１１ｈが設けられる側とは反対側に位置する筐体１１の端部に設けられている。好ましくは、戻り接続口１１ｉ及び往き接続口１１ｊは、第１部分１１ｄに位置する底壁１１ｂに設けられている。往き接続口１１ｊが設けられる底壁１１ｂの部分は、戻り接続口１１ｉが設けられる底壁１１ｂの部分よりも下方に位置していることが好ましい。
【００５０】
図８に示されるように、筐体１１の内部には、流路１１ｋが設けられている。流路１１ｋは、一方端１１ｋａと、他方端１１ｋｂとを有している。流路１１ｋは、一方端１１ｋａにおいて、戻り接続口１１ｉに接続されている。流路１１ｋは、一方端１１ｋａから、往き接続口１１ｊに向かって延在している。戻り接続口１１ｉから筐体１１内に戻ってきた水は、流路１１ｋを介して、往き接続口１１ｊの近傍に供給される。
【００５１】
図８及び図９に示されるように、流路１１ｋは、流路上壁１１ｋｃと、流路底壁１１ｋｄと、第１流路側壁１１ｋｅと、第２流路側壁１１ｋｆとを有している。流路上壁１１ｋｃは、筐体１１とは別体の部材で構成されていてもよい。流路底壁１１ｋｄは、底壁１１ｂの一部により構成されていてもよい。また、流路１１ｋは、他方端１１ｋｂにおいて、開口１１ｋｇを有している。
【００５２】
流路上壁１１ｋｃは、第１部分１１ｋｃａと、第２部分１１ｋｃｂとを有している。流路上壁１１ｋｃは、第３部分１１ｋｃｃと、第４部分１１ｋｃｄとをさらに有していてもよい。
【００５３】
第１部分１１ｋｃａは、戻り接続口１１ｉと対向している。第２部分１１ｋｃｂは、第１部分１１ｋｃａに連なっている。第２部分１１ｋｃｂは、第１部分１１ｋｃａから往き接続口１１ｊに向かって延在している。第３部分１１ｋｃｃは、流路１１ｋの他方端１１ｋｂに位置している。第４部分１１ｋｃｄは、第２部分１１ｋｃｂと第３部分１１ｋｃｃの間にあり、第２部分１１ｋｃｂと第３部分１１ｋｃｃとに連なっている。
【００５４】
第１部分１１ｋｃａは、第１方向ＤＲ１と直交する平面と第１角度をなしている。第２部分１１ｋｃｂは、第１方向ＤＲ１と直交する平面と第２角度をなしている。第３部分１１ｋｃｃは、第１方向ＤＲ１と直交する平面と第３角度をなしている。第４部分１１ｋｃｄは、第１方向ＤＲ１と直交する平面と第４角度をなしている。第１角度は、０°であることが好ましい。第２角度は、第１角度よりも大きい。第３角度は、第２角度よりも大きい。第４角度は、第２角度及び第３角度よりも小さい。
【００５５】
第１角度（第２角度、第３角度、第４角度）は、第１部分１１ｋｃａ（第２部分１１ｋｃｂ、第３部分１１ｋｃｃ、第４部分１１ｋｃｄ）が一方端１１ｋａ側から他方端１１ｋｂ側に向かうにしたがって下方に大きく傾斜しているほど、大きくなる。
【００５６】
第１流路側壁１１ｋｅ及び第２流路側壁１１ｋｆは、流路１１ｋの側方にある。第１流路側壁１１ｋｅは、好ましくは、側壁１１ｃの一部で構成されている。第２流路側壁１１ｋｆは、底壁１１ｂの一部が上方に向かって突出することで構成されている。第１流路側壁１１ｋｅ及び第２流路側壁１１ｋｆは、互いに対向している。
【００５７】
図９に示されるように、第１部分１１ｋｃａは、好ましくは、第１流路側壁１１ｋｅに接して配置されている。図１０に示されるように、第２部分１１ｋｃｂの少なくとも一部は、好ましくは、第１流路側壁１１ｋｅから離間して配置されている。すなわち、第１流路側壁１１ｋｅと第２部分１１ｋｃｂとの間に、隙間が形成されている。
【００５８】
なお、上記においては、第２部分１１ｋｃｂの少なくとも一部が第１流路側壁１１ｋｅから離間して配置されている例を示したが、第２部分１１ｋｃｂの少なくとも一部は、図１１に示されるように、第２流路側壁１１ｋｆから離間して配置されていてもよい。
【００５９】
図８に示されるように、開口１１ｋｇは、第１端１２ａよりも下方に位置している。なお、第１水位電極１２は、図８中において、点線で示されている。ここで、「開口１１ｋｇが第１端１２ａよりも下方にある」とは、最も上方にある開口１１ｋｇの部分が第１端１２ａよりも下方にあることをいう。
【００６０】
上記のとおり、第１水位電極１２が筐体１１に貯留されている水の水位が第１水位よりも低い場合には、筐体１１の内部に水が供給される。そのため、開口１１ｋｇが第１端１２ａよりも下方にあることにより、開口１１ｋｇが筐体１１に貯留されている水の水面から露出しないように構成されている。
【００６１】
（実施形態に係る温水暖房装置及びシスターン１の効果）
以下に、実施形態に係る温水暖房装置及びシスターン１の効果を説明する。
【００６２】
シスターン１において、戻り接続口１１ｉから筐体１１の内部に戻る水は、流路上壁１１ｋｃの第１部分１１ｋｃａと衝突し、流速が低減される。流路上壁１１ｋｃの第１部分１１ｋｃａと衝突した水は、流路上壁１１ｋｃの第２部分１１ｋｃｂと衝突しながら往き接続口１１ｊへと向かう。そのため、戻り接続口１１ｉから筐体１１の内部に戻る水の流速は、さらに低減される。
【００６３】
シスターン１においては、流路１１ｋの開口１１ｋｇが第１端１２ａよりも下方にあるため、筐体１１に貯留されている水の水面から流路１１ｋの開口１１ｋｇが露出していない。このように、シスターン１においては、戻り接続口１１ｉから筐体１１の内部に戻る水の流速が少なくとも２段階で低減され、かつ筐体１１に貯留されている水の水面から流路１１ｋの開口１１ｋｇが露出していないため、戻り接続口１１ｉから筐体１１の内部に戻る水が、筐体１１に貯留されている水に気泡を生じさせにくい。
【００６４】
シスターン１において、流路上壁１１ｋｃが第３部分１１ｋｃｃを有している場合、戻り接続口１１ｉから筐体１１の内部に戻る水は、第３部分１１ｋｃｃと衝突することにより、さらに流速が低減される。
【００６５】
第３部分１１ｋｃｃが設けられていない場合には、シスターン１が鉛直方向に対して傾斜した際に（筐体に貯留されている水の水面が傾斜した際に）、当該水面から開口１１ｋｇの一部が露出してしまうおそれがある。
【００６６】
他方で、第３部分１１ｋｃｃが設けられている場合、第３部分１１ｋｃｃが設けられていない場合と比較して、開口１１ｋｇがより小さくなる。そのため、シスターン１が鉛直方向に対して傾斜したとしても（筐体に貯留されている水の水面が傾斜したとしても）、当該水面から開口１１ｋｇが露出しがたい。
【００６７】
流路１１ｋが完全に気密となっていると、流路１１ｋ内に空気が残存することがある。当該空気は、周辺の温度上昇で膨張し、流路１１ｋを破損させるおそれがある。また、当該空気の圧力により、流路１１ｋへの通水が困難となるおそれがある。そのため、流路１１ｋの一部には、空気が通る隙間が設けられることが好ましい。
【００６８】
流路上壁１１ｋｃの第１部分１１ｋｃａは、戻り接続口１１ｉから筐体１１の内部に戻る水が一次的に衝突する部分であるため、隙間を設けることは好ましくない。他方で、流路上壁１１ｋｃの第２部分１１ｋｃｂの近傍を通過する際には、戻り接続口１１ｉから筐体の内部に戻る水の流速が既に低減されているため、隙間を設けることによる悪影響は小さい。
【００６９】
そのため、空気が通る隙間を流路上壁１１ｋｃの第２部分１１ｋｃｂと第１流路側壁１１ｋｅとの間に設けることにより、このような隙間を設けることによる悪影響を抑制しつつ、流路１１ｋ内に空気が残存することを抑制できる。
【００７０】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００７１】
上記の実施形態は、温水暖房装置及びシスターンに特に有利に適用される。
【符号の説明】
【００７２】
１  シスターン、１０  筐体、１０ａ  天板、１０ｂ  底板、１０ｃ  側板、１０ｃａ  排気口、１０ｄ  側板、１０ｅ  側板、１０ｆ  側板、１１  筐体、１１ａ  上壁、１１ａａ  第１貫通孔、１１ａｂ  第２貫通孔、１１ｂ  底壁、１１ｃ  側壁、１１ｄ  第１部分、１１ｅ  第２部分、１１ｆ  第３部分、１１ｇ  補水口、１１ｈ  排出口、１１ｉ  戻り接続口、１１ｊ  往き接続口、１１ｋ  流路、１１ｋａ  一方端、１１ｋｂ  他方端、１１ｋｃ  流路上壁、１１ｋｃａ  第１部分、１１ｋｃｂ  第２部分、１１ｋｃｃ  第３部分、１１ｋｃｄ  第４部分、１１ｋｄ  流路底壁、１１ｋｅ  第１流路側壁、１１ｋｆ  第２流路側壁、１１ｋｇ  開口、１２  第１水位電極、１２ａ  第１端、１２ｂ  第３端、１３  第２水位電極、１３ａ  第２端、１３ｂ  第４端、２  燃焼ユニット、２１  一次熱交換器、２２  二次熱交換器、２３  バーナ、５１  低温暖房端末、５２  高温暖房端末、３ａ，３ｂ，３ｃ，３ｄ，３ｅ，３ｆ，３ｇ，３ｈ  配管、４  ポンプ、ＤＲ１  第１方向、ＤＲ２  第２方向、Ｈ  高さ、Ｌ１，Ｌ２  直線、Ｐ  基準位置、Ｗ１，Ｗ２，Ｗ３，Ｗ４  幅。
【図１】
2019174049.tif 000003
【図２】
2019174049.tif 000004
【図３】
2019174049.tif 000005
【図４】
2019174049.tif 000006
【図５】
2019174049.tif 000007
【図６】
2019174049.tif 000008
【図７】
2019174049.tif 000009
【図８】
2019174049.tif 000010
【図９】
2019174049.tif 000011
【図１０】
2019174049.tif 000012
【図１１】
2019174049.tif 000013